(57)【要約】【課題】  従来技術では、地震の際、倒壊に至らずとも、モルタル等の外装がくずれ落ちるという被害が多く発生した。これは木造住宅の躯体が柔な構造で、剛な面をなすモルタル仕上壁と地震による挙動の性質が合わず、躯体は地震時の変形が大きいため、剛な面であるモルタル部分がこれに追随できず接合部周辺で破壊し脱落するという問題があった。【解決手段】  住宅におけるモルタル壁仕上工法において、下地板２に防水紙３を設け、該防水紙３の外面から合成ゴム等のリング５を接着剤等により固定し、該合成ゴム等のリング５の外側に鋼製金網４を位置させて座金６を介してビス７で間柱等に固定するように螺設し、上記の鋼製金網４、合成ゴム等のリング５、座金６、ビス７の頭部を埋没するように、特に鋼製金網４がモルタル８の略中間部に配置されるようにモルタル８をコテ圧をかけて塗り付ける住宅におけるモルタル壁仕上工法。【選択図】図２
2007205057.tif 000002
【特許請求の範囲】
【請求項１】
住宅における外壁をモルタルで仕上げる建築工法において、下地板に防水紙を設け、その防水紙に鋼製金網をステープル、タッカー釘で止め付け、この鋼製金網を合成ゴム等のリングで押さえながら座金を介してビスで間柱等に螺設し、上記の鋼製金網、合成ゴム等のリング、座金、ビスの頭部を埋没するようにモルタルにコテ圧をかけて塗り付けることを特徴とする住宅におけるモルタル壁仕上工法。
【請求項２】
住宅における外壁をモルタルで仕上げる建築工法において、下地板に防水紙を設け、該防水紙の外面から合成ゴム等のリングを接着剤等により固定し、該合成ゴム等のリングの外側に鋼製金網を位置させて座金を介してビスで間柱等に固定するように螺設し、上記の鋼製金網、合成ゴム等のリング、座金、ビスの頭部を埋没するように、特に鋼製金網がモルタルの略中間部に配置されるようにモルタルにコテ圧をかけて塗り付けることを特徴とする住宅におけるモルタル壁仕上工法。
【請求項３】
モルタル壁の全外壁面にＳＢＲ系ポリマーセメントモルタルを塗り付けながら、順次ガラスネットを当接し、その上から鏝で押圧し、塗着面下にガラスネットを埋入してネットモルタル層を形成することを特徴とする請求項１、または請求項２のいずれかに記載のモルタル壁仕上工法。
【発明の詳細な説明】
【技術分野】
【０００１】
木造住宅では防火上、外壁をモルタルで仕上げることが多いが、モルタルは剛性が高く、変形し難いのに対し、木造住宅本体はモルタルに比べて変形し易いので、地震時には、先ずモルタルに力が集中しひび割れを生じたり、さらに落下してしまう場合が生じる。本発明は、この不都合を解消するために発明したモルタル壁仕上工法に関するものである。
【背景技術】
【０００２】
従来、一般に木造住宅の場合、防火上を考慮して仕上げはモルタルで行うことが多い。この仕上げ工法は、間柱、柱、土台、桁等に小幅板、ベニヤ板等からなる下地板を固定し、その外面に防水シート、透湿防水シート等の防水性を施し、ワイヤラス、メタルラス等の鋼製金網をステープル、タッカー釘で下地板に打ちつけて取り付け、さらにこの外面に現場調合モルタル、既調合セメントモルタルで、コテ圧を十分にかけてこすり塗りをしてモルタル仕上げを行っている。
【発明の開示】
【発明が解決しようとする課題】
【０００３】
しかしながら、上記したような従来技術の木造住宅のモルタル壁仕上げ工法での建物は、阪神・淡路大震災の際、倒壊に至らなかったものにも、モルタル等の外装がくずれ落ちるという被害が多く発生した。これはモルタルのように、湿式で形成した広い面積が一体となっているものは、層間変位追従性が乏しい。すなわち、木造住宅の躯体が柔な構造で、剛な面をなすモルタル仕上壁と地震による挙動の性質が合わず、躯体は地震時の変形が大きいため、剛な面であるモルタル部分がこれに追随できず接合部周辺で破壊し脱落する。加えて、雨漏りや内部結露によってメタルラスやステープル、タッカー釘あるいは下地板の胴縁などが腐食してくずれ落ちてしまうという問題があった。さらに、木造モルタル住宅は、耐震および防火上の重要な点はモルタル壁の落下を防止することである。
【課題を解決するための手段】
【０００４】
上記課題を解決するための本発明の第１発明は、請求項１に記載された通りのモルタル壁仕上工法であり、次のようなものである。
住宅における外壁をモルタルで仕上げる建築工法において、下地板に防水紙を設け、その防水紙に鋼製金網をステープル、タッカー釘で止め付け、この鋼製金網を合成ゴム等のリングで押さえながら座金を介してビスで間柱等に螺設し、上記の鋼製金網、合成ゴムリング、座金、ビスの頭部を埋没するようにモルタルをコテ圧をかけて塗り付ける構成である。
【０００５】
上記課題を解決するための本発明の第２発明は、請求項２に記載された通りのモルタル壁仕上工法であり、次のようなものである。
住宅における外壁をモルタルで仕上げる建築工法において、下地板に防水紙を設け、該防水紙の外面から合成ゴム等のリングを接着剤等により固定し、該合成ゴム等のリングの外側に鋼製金網を位置させて座金を介してビスで間柱等に固定するように螺設し、上記の鋼製金網、合成ゴム等のリング、座金、ビスの頭部を埋没するように、特に鋼製金網がモルタルの略中間部に配置されるようにモルタルをコテ圧をかけて塗り付ける構成である。
【０００６】
上記課題を解決するための本発明の第３発明は、請求項３に記載された通りのモルタル壁仕上工法であり、次のようなものである。
請求項１、または請求項２のいずれか１項に加えて、モルタル壁の全外壁面にＳＢＲ系ポリマーセメントモルタルを塗り付けながら、順次ガラスネットを当接し、その上から鏝で押圧し、塗着面下にガラスネットを埋入してネットモルタル層を形成する構成である。
【発明の効果】
【０００７】
本発明に係るモルタル壁仕上工法は、上記説明のような構成を有するので、以下に記載する効果を奏する。
（１）本発明の請求項１における工法によれば、剛な面であるモルタル壁に弾性材であるゴムリングを介して、間柱等の木造住宅の躯体のコアになる部分に木ネジ等のビスで座金を利用して固定されているため、地震の揺れに対して弾性なるゴムリングの弾性で柔な構造の躯体と、剛な面をなすモルタル壁間の層間変位を吸収して追従性を確保し、加えて弾性なるゴムリングの弾性によって元の状態に復元しようとする作用が生じ、結果的にモルタル壁の脱落を防止でき、防火性並びに耐震効果を発揮できるものである。
（２）本発明の請求項２における工法によれば、請求項１における工法の効果に加えて、メタルラスを浮かせて、モルタル層の中間に位置するように、弾性なるゴムリングの外側に座金で押さえるようにして、木ネジでメタルラスを固定し、メタルラスを埋没するようにモルタル層が塗られているので、メタルラスのサビ等の腐食を防止するので、結果的にモルタル壁の脱落の原因を排除することになり、防火性並びに耐震効果を発揮できるものである。
（３）本発明の請求項３における工法によれば、請求項１、２における工法の効果に加えて、モルタルにガラスネット層を形成することにより、あたかもＧＲＣ（ガラス繊維強化コンクリート）板を取り付けたようになり、よりひび割れを防止することができ、耐震効果を発揮することができる。
【発明を実施するための最良の形態】
【０００８】
住宅におけるモルタル壁仕上工法において、下地板に防水紙を設け、該防水紙の外面から合成ゴム等のリングを接着等により固定し、該合成ゴム等のリングの外側に鋼製金網を位置させて座金を介してビスで間柱等に固定するように螺設し、上記の鋼製金網、合成ゴム等のリング、座金、ビスの頭部を埋没するように、特に鋼製金網がモルタルの略中間部に配置されるようにモルタルをコテ圧をかけて塗り付ける住宅におけるモルタル壁仕上工法である。
【実施例】
【０００９】
図１は、本発明の第一実施例である住宅におけるモルタル壁仕上工法で仕上げた状態を示す概略断面図、図２は、本発明の第二実施例である住宅におけるモルタル壁仕上工法で仕上げた状態を示す概略断面図、図３は、図１、図２の第一、第二実施例をまとめて概略的に説明するための概略斜視図である。
【００１０】
本発明について図１〜図３に基づいて具体的に実施例を説明する。
従来、メタルラスを防水紙で覆われた下地板にステープル、タッカー釘で止め付けし、この止め付けた状態のメタルラスにモルタルをコテ圧で押圧しながら保持するように絡ませた状態で剛なモルタル壁を形成しているため、地震の揺れがあると、柔な木造住宅の躯体と剛なモルタル壁間に層間変位がおき、特にメタルラスやステープル、タッカー釘がサビ等で腐食していると簡単に破断し、モルタル壁が下地板から脱落してしまう。壁のモルタルがひび割れたり、脱落すると建物強度（耐震性）の低下と共に、類焼、延焼の危険性が高くなる。また、ステープル、タッカー釘は脆く、耐久性がない。
これに対して、本発明の住宅におけるモルタル壁仕上工法は、この問題点を解決し、耐震効果を発揮することができ、繰り返しの地震にも耐えられるようにモルタル壁が脱落する危険性の少ない工法である。
【００１１】
次に、本発明の第一実施例を図１、図３に基づいて説明する。
木造住宅の間柱、柱、土台、桁等を利用して、小幅板、構造用合板、または裏打ち紙付きリブラス等からなる下地板２を設け、該下地板２の外面をアスファルトフェルト、防水シート、透湿防水シート等からなる防水紙３を貼り付け、その防水紙３の外面に、メタルラス、特殊ラス等の鋼製金網４をステープル、タッカー釘で打ちつけ固定し、前記鋼製金網４の外面に緩衝性を高める弾性材からなる例えば、経年しても性能が持続する合成ゴム、ウレタンゴム、シリコンゴム製等のリング５を配置し、その外側から座金６を介在させて間柱１等に木ネジ等の強靭なビス７で螺設し、鋼製金網４、合成ゴム等のリング５、座金６全てを覆い隠すように現場調合モルタル、既調合セメントモルタル等のモルタルをコテ圧を十分にかけてこすり塗りし、塗厚は、鋼製金網４、合成ゴム等のリング５、座金６、ビス７の頭部等全てを埋没するように仕上げるものである。
モルタルの塗厚は、防火上あるいは鋼製金網４の耐久性向上のため、適度に確保する必要がある。このモルタル必要厚を均一に確保するために、一例として、座金６表面に弾力のあるヒゲを付けた治具等を活用すれば、モルタルの塗厚を均一にするための仕上作業ができる。
また、よりモルタル壁の脱落とひび割れを防止する上で、全壁面を対象にＳＢＲ系ポリマーセメントモルタルを厚さ２ｍｍ程度に塗り付けながら、順次ガラスネットを当接し、その上から鏝で押圧し、塗着面下にネットを埋入させ硬化させる。
このガラスネットを埋入したガラスネット層９を最外部に施工することでひび割れ防止、防水性、最終仕上に必要な下地が出来上がるという優れた効果を発揮する。
【００１２】
ネットモルタル層を構成する目的は、通常のモルタルは、乾燥収縮（温冷、乾湿）によるひび割れ発生が宿命で、これを解決するにはモルタルを補強するのに十分なヤング係数を有する芯材を採用しなければならない。それには、ガラス繊維製ネットが適しているが、一方ガラス繊維はモルタル雰囲気でアルカリ劣化してしまうので、常識的にはガラスネットの採用は問題視されている。
しかし、本願発明で使用するガラス繊維製ネットは、高分子樹脂の結束剤でコーティングされ、且つネットを貼り付けるＳＢＲ系ポリマーセメントモルタルでは一切劣化が生じないことが検証されている。従って、長期に亘ってラスモルタルの表層がＧＲＣ板を取り付けたように剛性が付加される。
【００１３】
次に、図２、図３に基づいて第二実施例の工法を説明する。
この第二実施例の工法は、前記第一実施例の工法と相違する点は、鋼製金網４が合成ゴム等のリング５の外側に位置し、すなわち図２でも理解できるように、モルタル８の略中間部に位置するように、合成ゴム等のリング５の外側で座金６で合成ゴムリング５と座金６の間に位置させた状態で、ビス７で間柱１等に固定し、この状態でモルタル８を塗り付けてモルタル８の中間部に鋼製金網４が位置するようにすると共に、合成ゴム等のリング５、座金６、ビス７の頭部全てを被覆するようにモルタル８を塗り付けて壁を仕上げるものである。
そして、第一実施例と同様にガラスネット層９を施すものである。
【００１４】
また、鋼製金網４を固定するビス７の螺設間隔、本数等は適宜設計すれば良いが、多いほど、モルタル壁の脱落は防止できることはいうまでもない。
【産業上の利用可能性】
【００１５】
木造住宅だけでなく、軽量鉄骨住宅等、外壁の仕上げにモルタルを使用するものには同様に利用でき、新築だけでなく、改修工事にも応用できる。また、通気工法、外断熱工法による木造住宅にも応用できる。
【図面の簡単な説明】
【００１６】
【図１】本発明の第一実施例である住宅におけるモルタル壁仕上工法で仕上げた状態を示す概略断面図である。
【図２】本発明の第二実施例である住宅におけるモルタル壁仕上工法で仕上げた状態を示す概略断面図である。
【図３】本発明の第一実施例、第二実施例に係る、モルタル壁仕上工法を説明するための見取り図としての概略斜視図である。
【符号の説明】
【００１７】
１・・・・間柱                              ２・・・・下地板
３・・・・防水紙                            ４・・・・鋼製金網
５・・・・合成ゴム等のリング                ６・・・・座金
７・・・・ビス                              ８・・・・モルタル
９・・・・ガラスネット層
【図１】
2007205057.tif 000003
【図２】
2007205057.tif 000004
【図３】
2007205057.tif 000005